(57)【要約】【課題】被加熱物に添付されたバーコードを常に適切に、且つ迅速に読み込むことを可能する利便性の高い加熱調理器を実現すること。【解決手段】加熱庫（１３）と、被加熱対象となる食品に添付された、少なくとも食品の種類を示す情報コードを読み取る読取り装置（１６）とを備え、情報コードを読み取って得られた情報に基づき加熱庫（１３）の内部に配置された食品を加熱する加熱調理器（１）において、読取り装置（１６）は、加熱庫（１３）の天面（天壁１３ａ）に設けられ、加熱庫（１３）の底面（プレート１３ｃ）側に情報コードを読み取る読取り領域を有し、読取り領域を、第１領域（第１の読取り領域１９）から第２領域（第２の読取り領域２０）に変位させることを特徴とする加熱調理器。【選択図】図２
2020143843.tif 000002
【特許請求の範囲】
【請求項１】
加熱庫と、被加熱対象となる食品に添付された、少なくとも食品の種類を示す情報コードを読み取る読取り装置とを備え、前記情報コードを読み取って得られた情報に基づき加熱庫の内部に配置された食品を加熱する加熱調理器において、
前記読取り装置は、前記加熱庫の天面に設けられ、当該加熱庫の底面側に前記情報コードを読み取る読取り領域を有し、当該読取り領域を、第１領域から第２領域に変位させることを特徴とする加熱調理器。
【請求項２】
前記読取り装置は、読取り領域が第１領域から第２領域に変位するように、前記加熱庫の天面において回転することを特徴とする請求項１に記載の加熱調理器。
【請求項３】
前記読取り装置は、前記加熱庫の天面における当該加熱庫の開口部手前側に設けられていることを特徴とする請求項１または２に記載の加熱調理器。
【請求項４】
前記読取り装置は、読取り領域が第１領域から第２領域に変位するように、前記加熱庫の天面において、第１位置から第２位置に変位することを特徴とする請求項１に記載の加熱調理器。
【請求項５】
前記第１領域は、前記加熱庫の開口部側に形成され、前記第２領域は、前記加熱庫の開口部と反対側に形成されていることを特徴とする請求項１〜４のいずれか１項に記載の加熱調理器。
【請求項６】
前記第１領域は、前記加熱庫の開口部手前から見て右側に形成され、前記第２領域は、前記加熱庫の開口部手前から見て左側に形成されていることを特徴とする請求項１〜５のいずれか１項に記載の加熱調理器。
【発明の詳細な説明】
【技術分野】
【０００１】
本発明は、加熱庫内部に配置された食品を加熱する加熱調理器に関する。
【背景技術】
【０００２】
従来、例えばコンビニエンスストアでは、販売した弁当等の食品を電子レンジ等の加熱調理器にて加熱し、客に手渡すサービスが行われている。
【０００３】
食品を加熱する場合の好適な加熱温度および加熱時間は、食品の種類によって異なる。そこで、特許文献１に示す電子レンジでは、食品の容器に記された、食品の種類を示すバーコードを読取り装置にて読み取り、食品の種類に応じた加熱情報（加熱温度および加熱時間）に従って食品を加熱するようにしている。
【先行技術文献】
【特許文献】
【０００４】
【特許文献１】実用新案登録第３０７６６４９号公報
【発明の概要】
【発明が解決しようとする課題】
【０００５】
ところで、特許文献１の電子レンジでは、バーコード読取り装置が加熱庫の天面に設けられているため、加熱庫の底面側にバーコード読取り領域が形成される。このような場合、加熱庫の底面全面をバーコード読取り領域とはならず、加熱庫の底面の一部の領域がバーコード読取り領域となるため、加熱庫のどこでバーコードを読み取らせればよいのかが分かり難い。
【０００６】
しかも、バーコード読取り領域が固定されているため、被加熱物におけるバーコードの位置によっては、当該バーコードがバーコード読取り領域に届かない恐れがある。
【０００７】
従って、特許文献１の電子レンジでは、被加熱物のバーコードの位置によっては、バーコードを適切に読み取ることができず、バーコードの読取りエラーが発生する。そして、バーコードの読取りエラーを発生させないようにするために、被加熱物におけるバーコードを適切に読み取れるバーコード読取り領域まで移動させる必要がある。このため、バーコードを適切に読み取らせるまでに掛かる時間が長くなり、バーコードを利用することで加熱調理を迅速に行えるという利便性を得られないという問題が生じる。
【０００８】
本発明の一態様は、被加熱物に添付されたバーコードを常に適切に、且つ迅速に読み込むことを可能する利便性の高い加熱調理器を実現することを目的とする。
【課題を解決するための手段】
【０００９】
上記の課題を解決するために、本発明の一態様に係る加熱調理器は、加熱庫と、被加熱対象となる食品に添付された、少なくとも食品の種類を示す情報コードを読み取る読取り装置とを備え、前記情報コードを読み取って得られた情報に基づき加熱庫の内部に配置された食品を加熱する加熱調理器において、前記読取り装置は、前記加熱庫の天面に設けられ、当該加熱庫の底面側に前記情報コードを読み取る読取り領域を有し、当該読取り領域を、第１領域から第２領域に変位させることを特徴とする加熱調理器である。
【発明の効果】
【００１０】
本発明の一態様によれば、被加熱物に添付されたバーコードを常に適切に、且つ迅速に読み込むことを可能する利便性の高い加熱調理器を実現することができる。
【図面の簡単な説明】
【００１１】
【図１】本発明の実施形態１に係る加熱調理器の前扉を閉じた状態を正面の斜め上方から見た場合の斜視図である。
【図２】図１に示した加熱調理器の前扉を開放した状態の正面図である。
【図３】本発明の実施形態１における読取り装置の例を示す説明図である。
【図４】図２における読取り装置の読取り領域を示す説明図である。
【図５】（ａ）〜（ｃ）は、本発明の実施形態１における読取り装置の読取り領域の一例を上方から見た例を示す上面図である。
【図６】（ａ）は、本発明の実施形態１における読取り装置が読み取る二次元コードからなる情報コードの例を示す説明図、（ｂ）は、本発明の実施形態１における読取り装置が読み取る一次元バーコードからなる情報コードの例を示す説明図である。
【図７】本発明の実施形態１に係る加熱調理器が備える制御装置の構成を示すブロック図である。
【図８】本発明の実施形態１に係る加熱調理器の処理を示すフローチャートである。
【図９】本発明の実施形態２に係る加熱調理器の天壁に設けられた読取り装置を下方から見た場合の説明図である。
【図１０】（ａ）〜（ｃ）は、本発明の実施形態２に係る加熱調理器の天壁に設けられた読取り装置の位置を下方から見た例を示す説明図である。
【図１１】本発明の変形例１に係る加熱調理器の処理を示すフローチャートである。
【図１２】本発明の変形例２に係る加熱調理器の処理を示すフローチャートである。
【図１３】本発明の変形例３に係る加熱調理器の処理を示すフローチャートである。
【図１４】本発明の変形例４に係る加熱調理器の処理を示すフローチャートである。
【発明を実施するための形態】
【００１２】
〔実施形態１〕
１．加熱調理器の概要
以下、本発明の一実施形態について、詳細に説明する。図１は、本発明の実施形態１に係る加熱調理器の前扉を閉じた状態を正面の斜め上方から見た場合の斜視図である。図２は、図１に示した加熱調理器の前扉を開放した状態の正面図である。図１および図２に示すように、本発明の一実施形態に係る加熱調理器は、例えば電子レンジであり、加熱庫１３と、被加熱対象となる食品に添付された、少なくとも食品の種類を示す情報コードを読み取る読取り装置１６とを備えている。
【００１３】
また、本実施形態に係る加熱調理器は、前面の上部に操作パネル１１を有し、操作パネル１１の下に前扉１２を有している。操作パネル１１は、コントロールフレーム（基板収容部）１５の前面に設けられており、加熱調理器１の前後方向において、操作パネル１１の前面位置は前扉１２の前面位置とほぼ一致している。コントロールフレーム１５の内部には、操作パネル１１の表示部の制御、および入力キー等に対するユーザ操作の受け付け等を行う制御基板（図示せず）が設けられている。
【００１４】
前扉１２は、前扉１２の奥に設けられている加熱庫１３を開閉する扉であり、閉状態にて加熱庫１３の前面開口部１３ｂを覆う。前扉１２は、本実施形態において、向って左側の端部を中心として回転する横開き形式であり、右端付近に取手１４を有している。
【００１５】
加熱庫１３の天壁１３ａには、加熱調理器１にて加熱する食品あるいは食品の容器に付与された情報コードを読み取るための読取り装置１６が設けられている。
【００１６】
（読取り装置）
本実施形態における読取り装置１６について、図２〜４を用いて説明する。図３は、本発明の実施形態１における読取り装置の例を示す説明図である。図４は、図２における読取り装置の読取り領域を示す説明図である。
【００１７】
図２に示すように、本実施形態における読取り装置１６は、加熱調理器１の加熱庫１３の天壁１３ａ（天面ともいう）に設けられている。読取り装置１６は、加熱庫１３の天壁１３ａにおける加熱庫１３の前面開口部１３ｂ（開口部ともいう）手前側に設けられていることが好ましい。加熱庫１３の前面開口部１３ｂ手前側とは、加熱庫１３の中央より、前面開口部１３ｂ側の位置を指す。
【００１８】
ユーザは、加熱庫１３の前面開口部１３ｂ手前側から食品を入れるため、食品は、加熱庫１３のプレート１３ｃ上の前面開口部１３ｂ手前側に配置されることが多い。よって、この構成によれば、情報コードをより効率的に読み取ることが可能となり、情報コードを用いた加熱調理の利便性を向上させることができる。
【００１９】
読取り装置１６は、例えばバーコードリーダであり、起動すると、加熱調理器１にて加熱する食品あるいは食品の容器に付与された情報コード（例えばバーコード）を読み取るようになっている。読取り装置１６の起動については「（制御装置）」の項目、情報コードについては「（情報コード）」の項目で、それぞれ後述する。
【００２０】
図４に示すように、本実施形態における読取り装置１６は、加熱庫１３のプレート１３ｃ（底面ともいう）側に情報コードを読み取る読取り領域を有し当該読取り領域を、第１の読取り領域１９（第１領域ともいう）から第２の読取り領域２０（第２領域ともいう）に変位させる。
【００２１】
上記構成によれば、読取り装置１６の読取り領域を第１の読取り領域１９から第２の読取り領域２０に変位させることで、情報コードが適切に読み取れる位置に、読取り領域を設定することが可能となる。これにより、食品における情報コードを常に適切に、且つ迅速に読み取ることが可能となり、情報コードを用いた加熱調理の利便性を向上させることができる。
【００２２】
本実施形態における読取り装置１６は、例えば、図３に示すドームカメラタイプのバーコードリーダである。バーコードリーダは、例えば、赤色ＬＥＤなどを用いてバーコードを読み取ることができる。本実施形態における読取り装置１６は、読取り領域が第１の読取り領域１９から第２の読取り領域２０に変位するように、加熱庫１３の天壁１３ａにおいて回転する。読取り装置１６は、例えば、モータなどが駆動することによって回転する。
【００２３】
上記構成によれば、読取り装置１６は、加熱庫１３内の広い領域を読取り領域とすることができる。これにより、食品における情報コードを常に適切に、且つ迅速に読み取ることが可能となり、情報コードを用いた加熱調理の利便性を向上させることができる。
【００２４】
続いて、読取り装置１６が読み取る読取り領域の好ましい形態について、図５の（ａ）〜（ｃ）を用いて以下に説明する。図５の（ａ）〜（ｃ）は、いずれも、本発明の実施形態１における読取り装置の読取り領域の一例を上方から見た例を示す上面図である。なお、図５の（ａ）〜（ｃ）では、説明を分かりやすくするために、第１の読取り領域１９と第２の読取り領域２０とを大きく離して示している。しかし、情報コードを常に適切に、且つ迅速に読み取るという観点から、第１の読取り領域１９と第２の読取り領域２０とは隣接しているか、または一部が重なり合っていることが好ましい。
【００２５】
図５の（ａ）に示すように、第１の読取り領域１９は、加熱庫１３の第２の読取り領域２０より前面開口部１３ｂ側（すなわち、加熱庫１３の前扉１２側）に形成され、第２の読取り領域２０は、加熱庫１３の第１の読取り領域１９より前面開口部１３ｂと反対側（すなわち、加熱庫１３の奥側）に形成されていることが好ましい。
【００２６】
上述の通り、ユーザは、加熱庫１３の前面開口部１３ｂ手前側から食品を入れるため、食品は、加熱庫１３のプレート１３ｃ上の前面開口部１３ｂ手前側に配置されることが多い。よって、読取り領域が加熱庫１３において、前扉１２側から奥側に変位することで、情報コードを効率的に読み取ることが可能となり、情報コードを用いた加熱調理の利便性を向上させることができる。
【００２７】
また、図５の（ｂ）に示すように、第１の読取り領域１９が、加熱庫１３の前面開口部１３ｂから見て第２の読取り領域２０より右側に形成され、第２の読取り領域２０が、加熱庫１３の前面開口部１３ｂ手前から見て第１の読取り領域１９より左側に形成されている形態も好ましい。
【００２８】
上述の通り、本実施形態に係る加熱調理器１は、向って左側の端部を中心として回転する横開き形式であり、右端付近に取手１４を有している。このような構造上、ユーザは、加熱庫１３内に食品を入れる際には、左手で前扉１２を開けて、右手で食品を加熱庫１３内に入れることが多い。したがって、食品は、加熱庫１３のプレート１３ｃ上の右手側に配置されることが多い。よって、このように、読取り領域が加熱庫１３において、右手側から左手側に変位することで、情報コードを効率的に読み取ることが可能となり、情報コードを用いた加熱調理の利便性を向上させることができる。
【００２９】
また、図５の（ｃ）に示すように、第１の読取り領域１９が、加熱庫１３の第２の読取り領域２０より前面開口部１３ｂ側かつ第２の読取り領域２０より前面開口部１３ｂから見て右側に形成され、第２の読取り領域２０が、加熱庫１３の第１の読取り領域１９より前面開口部１３ｂと反対側かつ第１の読取り領域１９より加熱庫１３の前面開口部１３ｂ手前から見て左側に形成されている形態も好ましい。
【００３０】
上述の通り、ユーザは、右手前側に食品を配置する可能性が高い。そのため、このように、読取り領域が加熱庫１３において、右手前側から左手奥側に変位することで、情報コードをより効率的に読み取ることが可能となり、情報コードを用いた加熱調理の利便性を向上させることができる。
【００３１】
（情報コード）
図６の（ａ）は、本発明の実施形態１における読取り装置が読み取る二次元コード（ＱＲコード（登録商標））からなる情報コードの例を示す説明図であり、図６の（ｂ）は、本発明の実施形態１における読取り装置が読み取る一次元バーコードからなる情報コードの例を示す説明図である。
【００３２】
情報コードは、食品の種類を示す情報であり、食品あるいは食品の容器に、例えば印刷あるいはシールによって付与されている。情報コードは、食品の種類、例えば食品が弁当であること（あるいはさらには弁当の種類）または、おにぎりであること（あるいはさらにはおにぎりの種類）を示す情報である。情報コードは、加熱時に食品の上面になる位置に付与されていることが好ましい。
【００３３】
情報コードは、例えば図６の（ａ）に示すように、二次元コードであってもよいし、図６の（ｂ）に示すように、一次元バーコードであってもよい。なお、情報コードは、食品の種類を示すことができるものであればよく、特にバーコード等に限定されない。
【００３４】
（制御装置）
図７は、本発明の実施形態１に係る加熱調理器が備える制御装置の構成を示すブロック図である。制御装置は、加熱調理器１の動作を制御する制御部２２を備えている。制御部２２は、例えばマイクロコンピュータからなり、ＣＰＵ、ＲＯＭおよびＲＡＭを有する。
【００３５】
図７に示すように、制御部２２には、操作パネル１１、読取り装置１６、内容物有無検知部２１、加熱動作部２３および前扉開閉検知部２５が接続されている。
【００３６】
操作パネル１１は、例えば入力キーおよびタッチパネル等であり、ユーザからの入力を受ける。ユーザは、操作パネル１１を介して、例えば、加熱調理の開始、情報コードの読取りの開始、調理モードの選択（例えば、スチームの有無）、および加熱温度または加熱時間の入力を行うことができる。
【００３７】
前扉開閉検知部２５は、例えば前扉１２が開かれたときに加熱調理器１を起動するスイッチであり、前扉１２の開状態および閉状態を検知する。内容物有無検知部２１は、例えば重量センサであり、加熱庫１３に食品が配置されているかどうかを検知する。
【００３８】
前扉開閉検知部２５、操作パネル１１および内容物有無検知部２１は、加熱調理器１および読取り装置１６を起動するスイッチとなり得る。一例において、加熱調理器１は、前扉１２の開状態または閉状態が検知される、ユーザからの操作パネル１１への入力を受ける、あるいは加熱庫１３内に食品が配置されていることが検知されるなどをトリガとして起動する。読取り装置１６は、加熱調理器１と同時に起動してもよいし、加熱調理器１の起動後に、別のトリガによって起動してもよい。別のトリガとしては、前扉１２の開状態または閉状態が検知される、ユーザから操作パネル１１を介して情報コードの読取りを開始する旨の入力が検知される、あるいは加熱庫１３内に食品が配置されていることが検知されるなどである。
【００３９】
操作パネル１１が、情報コードの読取りの開始をするための入力キー等を備えている場合、制御装置は、内容物有無検知部２１を備えていなくてもよい（図示せず）。
【００４０】
加熱動作部２３は、加熱庫１３に配置された食品を加熱する動作部であり、例えばマイクロ波出力装置またはヒータである。
【００４１】
制御部２２は、例えばインターネット回線を使用してサーバ３１と通信可能である。サーバ３１には、各種食品の種類に応じた加熱情報が登録されている。制御部２２は、読取り装置１６が情報コードを読み取ることによって取得した食品の種類に応じた加熱情報をサーバ３１から取得し、取得した加熱情報に従って食品が加熱されるように、加熱動作部２３を制御する。なお、食品の種類に応じた加熱情報は、加熱調理器１自体が有していてもよい。この場合、加熱調理器１はサーバ３１との通信が不要である。
【００４２】
また、本実施形態における制御装置は、情報コードの読み取りの成功または失敗をユーザに報知する読取り結果報知部を備えていてもよい（図示せず）。この場合、読取り結果報知部は、例えばブザーまたは音声発生部であり、制御部２２は、読取り結果報知部の動作を制御し、読取り装置１６による情報コードの読み取りの成功または失敗をユーザに報知させる。
【００４３】
２．加熱調理器の動作
本実施形態に係る加熱調理器１の動作の一例について、図８を用いて説明する。図８は、本発明の実施形態１に係る加熱調理器の処理を示すフローチャートである。本実施形態に係る加熱調理器１は、ユーザが前扉１２を開くことによって起動するものとする。なお、フローチャート中の「Ｓ」はステップを表す。
【００４４】
まず、加熱調理器１の制御部２２は、前扉開閉検知部２５を介して前扉１２の開状態および閉状態を取得する、前扉開閉検知処理を行う（ステップ１０１）。
【００４５】
ステップ１０１において前扉１２の閉状態（以下、「前扉閉」）を取得できなかった場合（ステップ１０３におけるＮＯ）、制御部２２は、ステップ１０１に戻って処理を繰り返す。一方、ステップ１０１において「前扉閉」を取得できた場合（ステップ１０３におけるＹＥＳ）、制御部２２は、内容物有無検知部２１を介して内容物の有無を取得する、内容物有無検知処理を行う（ステップ１０５）。
【００４６】
ステップ１０５において内容物が有ること（以下、「内容物有」）を取得できなかった場合（ステップ１０７におけるＮＯ）、制御部２２は、加熱動作を行う必要がないと判断し、処理を終了する。一方、ステップ１０５において「内容物有」を取得できた場合（ステップ１０７におけるＹＥＳ）、制御部２２は、読取り装置１６を介して読取り領域における内容物の情報コードに含まれる情報（以下、「コード情報」）を取得する、情報読取り処理を行う（ステップ１０９）。
【００４７】
ステップ１０９においてコード情報を取得できなかった場合（ステップ１１１におけるＮＯ）、制御部２２は、ステップ１０９に戻って処理を繰り返す。ステップ１０９においてコード情報を取得できた場合（ステップ１１１におけるＹＥＳ）、制御部２２は、加熱動作部２３を介して加熱動作を開始する、加熱動作開始処理を行う（ステップ１１３）。
【００４８】
ここで、情報読取り処理は、処理が２回目または２回目以降である場合、コード情報の取得の前に、制御部２２が読取り装置１６を回転させることをさらに含む。これにより、２回目または２回目以降の情報読取り処理においては、制御部２２は、直近の情報読取り処理における読み取り領域（第１の読取り領域）とは異なる領域（第２の読取り領域）においてコード情報を取得する。
【００４９】
情報読取り処理を複数回行う場合、それぞれの情報読取り処理における読取り領域は、直近の読取り処理とは異なっている。ただし、３回目または３回目以降の情報読取り処理における読取り領域は、これまでに読み取ったいずれの読取り領域とも異なっていることが好ましい。なお、「領域が異なる」とは、領域が完全には一致しないことを意図している。
【００５０】
以上で、本実施形態に係る加熱調理器の処理は終了する。
【００５１】
なお、制御部２２は、「前扉閉」の検知後にユーザからの情報コードの読取りを開始する旨の入力を検知することで情報読取り処理を開始してもよい（図示せず）。この場合は、内容物有無検知処理は行わなくてもよい。
【００５２】
さらに、加熱調理器１の制御装置が読取り結果報知部を備えている場合、制御部２２は、コード情報を取得できたことを、読取り結果報知部を介してユーザに報知させることができる。コード情報を取得できた場合の読取り結果報知部の動作としては、例えば「ピー」という連続音を発する動作、「情報コードの読み取りが成功しました」という音声を発する動作、あるいはそれら両方である。
【００５３】
また、本実施形態における制御部２２は、コード情報を取得できなかった場合には情報読取り処理を繰り返す。しかし、情報読取り処理を所定の回数または所定の時間繰り返してもコード情報を取得できなかった場合に、コード情報を取得できなかったことを、読取り結果報知部を介してユーザに報知させる形態としてもよい。コード情報を取得できなかった場合の読取り結果報知部の動作としては、例えば「ピッ、ピッ、ピッ」という断続音を発する動作、「情報コードの読み取りに失敗しました」という音声を発する動作、あるいはそれら両方である。
【００５４】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００５５】
実施形態２に係る加熱調理器１は、情報コードを読み取るにあたり、加熱庫１３の天壁１３ａにおける読取り装置１６の位置が変位する点において、実施形態１とは異なっている。すなわち、本実施形態における読取り装置１６は、読取り領域が、第１の読取り領域１９から第２の読取り領域２０に変位するように、加熱庫１３の天壁１３ａにおいて第１の位置２６（第１位置ともいう）から第２の位置２７（第２位置ともいう）に変位することを特徴とする。
【００５６】
上記構成によれば、読取り装置１６は、加熱庫１３内の広い領域を読取り領域とすることができる。これにより、食品における情報コードを常に適切に、且つ迅速に読み取ることが可能となり、情報コードを用いた加熱調理の利便性を向上させることができる。
【００５７】
本実施形態における読取り装置１６について、図９を用いて説明する。図９は、本発明の実施形態２に係る加熱調理器の天壁に設けられた読取り装置を下方から見た場合の説明図である。図９に示すように、天壁１３ａにおけるレール１７に沿って変位する。なお、読取り装置１６は、天壁１３ａを移動することができれば、移動手段は必ずしもレールに限られない。
【００５８】
続いて、読取り装置１６の好ましい位置について、図１０の（ａ）〜（ｃ）を用いて以下に説明する。図１０の（ａ）〜（ｃ）は、いずれも、本発明の実施形態２に係る加熱調理器の天壁に設けられた読取り装置の位置を下方から見た例を示す説明図である。
【００５９】
本実施形態における読取り装置１６における第１の位置２６は、第１の読取り領域１９を読み取ることができる位置であればよい。同様に、読取り装置１６における第２の位置２７は、第２の読取り領域２０を読み取ることができる位置であればよい。一例において、読取り装置１６が真下の領域を読み取るとき、読取り装置１６の第１の位置２６は第１の読取り領域１９の直上に位置し、第２の位置２７は第２の読取り領域２０の直上に位置する。本実施形態では、読取り装置１６は、真下の領域を読み取る場合について説明する。
【００６０】
図１０の（ａ）に示すように、第１の位置２６は、加熱庫１３の第２の位置２７より前面開口部１３ｂ側（すなわち、加熱庫１３の前扉１２側）に形成され、第２の位置２７は、加熱庫１３の第１の位置２６より前面開口部１３ｂと反対側（すなわち、加熱庫１３の奥側）に形成されていることが好ましい。これにより、読取り領域が加熱庫１３において、前扉１２側から奥側に変位するため、情報コードを効率的に読み取ることが可能となり、情報コードを用いた加熱調理の利便性を向上させることができる。
【００６１】
図１０の（ｂ）に示すように、第１の位置２６が、加熱庫１３の第２の位置２７より前面開口部１３ｂから見て右側に形成され、第２の位置２７が、加熱庫１３の第１の位置２６より前面開口部１３ｂ手前から見て左側に形成されている形態も好ましい。これにより、読取り領域が加熱庫１３において、右手側から左手側に変位するため、情報コードを効率的に読み取ることが可能となり、情報コードを用いた加熱調理の利便性を向上させることができる。
【００６２】
また、図１０の（ｃ）に示すように、第１の位置２６が、加熱庫１３の第２の位置２７より前面開口部１３ｂ側かつ前面開口部１３ｂから見て右側に形成され、第２の位置２７が、加熱庫１３の第１の位置２６より前面開口部１３ｂと反対側かつ加熱庫１３の前面開口部１３ｂ手前から見て左側に形成されている形態も好ましい。これにより、読取り領域が加熱庫１３において、右手前側から左手奥側に変位するため、情報コードをより効率的に読み取ることが可能となり、情報コードを用いた加熱調理の利便性を向上させることができる。
【００６３】
なお、本実施形態における読取り装置１６は、天壁１３ａにおいて位置が変位するため、読取り装置１６自体が回転する必要はなく、下方を読み取ることができれば十分である。しかし、より効率よく読取りを行う観点から、読取り装置１６が、回転しながら変位する形態としてもよい。
【００６４】
〔変形例〕
本発明の変形例について、以下に説明する。各変形例は、上述のいずれの実施形態においても適用することができる。以下の変形例は、加熱調理器１の動作において、上記の実施形態と異なっている。なお、説明の便宜上、上記実施形態にて説明した部材と同じ機能を有する部材については、同じ符号を付記し、その説明を繰り返さない。また、名称を付して説明した処理（例えば、「加熱動作開始処理」）と同じ内容の処理についても、同じ名称を付記し、その説明を繰り返さない。
【００６５】
（変形例１）
本発明の変形例１について、図１１を用いて以下に説明する。図１１は、本発明の変形例１に係る加熱調理器の処理を示すフローチャートである。変形例１は、ユーザが前扉を開いて加熱庫に食品を入れた時点で、前扉が閉じられるのを待つことなく、制御部２２が情報コードの読み取りを開始する形態である。
【００６６】
まず、加熱調理器の制御部２２は、内容物有無検知処理を行う（ステップ２０１）。
【００６７】
ステップ２０１において「内容物有」を取得できなかった場合（ステップ２０３におけるＮＯ）、制御部２２は、前扉開閉検知処理を行う（ステップ２１５）。
【００６８】
ステップ２１５において「前扉閉」を取得できなかった場合（ステップ２１７におけるＮＯ）、制御部２２は、ステップ２０１に戻って処理を繰り返す。一方、ステップ２１５において「前扉閉」を取得できた場合（ステップ２１７におけるＹＥＳ）、制御部２２は、加熱動作を行う必要がないと判断し、処理を終了する。
【００６９】
ステップ２０１において「内容物有」を取得できた場合（ステップ２０３におけるＹＥＳ）、制御部２２は、情報読取り処理を行う（ステップ２０５）。
【００７０】
ステップ２０５においてコード情報を取得できなかった場合（ステップ２０７におけるＮＯ）、制御部２２は、ステップ２０５に戻って処理を繰り返す。なお、実施形態１と同様、ステップ２０５が２回目または２回目以降である場合、制御部２２は読取り装置１６を回転させ、直近の情報読取り処理における読み取り領域とは異なる領域においてコード情報を取得する。
【００７１】
一方、ステップ２０５においてコード情報を取得できた場合（ステップ２０７におけるＹＥＳ）、制御部２２は、前扉開閉検知処理を行う（ステップ２０９）。
【００７２】
ステップ２０９において「前扉閉」を取得できなかった場合（ステップ２１１におけるＮＯ）、制御部２２は、ステップ２０９に戻って処理を繰り返す。一方、ステップ２０９において「前扉閉」を取得できた場合（ステップ２１１におけるＹＥＳ）、制御部２２は、加熱動作開始処理を行う（ステップ２１３）。
【００７３】
以上で、本変形例における加熱調理器の処理は終了する。
【００７４】
本変形例における処理によれば、ユーザが前扉を閉じる前であっても、ユーザが加熱庫に食品を入れた時点で、制御部２２が情報コードの読み取りを開始するため、制御部２２が加熱動作を開始するまでの時間を短縮することができる。
【００７５】
（変形例２）
本発明の変形例２について、図１２を用いて以下に説明する。図１２は、本発明の変形例２に係る加熱調理器の処理を示すフローチャートである。変形例２は、ユーザが前扉を開いた時点で（すなわち、加熱調理器が起動した時点で）、制御部２２が情報コードの読み取りを開始する形態である。
【００７６】
まず、加熱調理器の制御部２２は、情報読取り処理を行う（ステップ３０１）。
【００７７】
ステップ３１０においてコード情報を取得できなかった場合（ステップ３０３におけるＮＯ）、制御部２２は、前扉開閉検知処理を行う（ステップ３１１）。
【００７８】
ステップ３１１において「前扉閉」を取得できなかった場合（ステップ３１３におけるＮＯ）、制御部２２は、ステップ３０１に戻って処理を繰り返す。なお、本変形例においても、実施形態１と同様、ステップ３０１が２回目または２回目以降である場合、制御部２２は読取り装置１６を回転させ、直近の情報読取り処理における読み取り領域とは異なる領域においてコード情報を取得する。
【００７９】
一方、ステップ３１１において「前扉閉」を取得できた場合（ステップ３１３におけるＹＥＳ）、制御部２２は、内容物有無検知処理を行う（ステップ３１５）。
【００８０】
ステップ３１５において「内容物有」を取得できた場合（ステップ３１７におけるＹＥＳ）、制御部２２は、ステップ３０１に戻って処理を繰り返す。一方、ステップ３１５において「内容物有」を取得できなかった場合（ステップ３１７におけるＮＯ）、制御部２２は、加熱動作を行う必要がないと判断し、処理を終了する。
【００８１】
ステップ３０１においてコード情報を取得できた場合（ステップ３０３におけるＹＥＳ）、制御部２２は、前扉開閉検知処理を行う（ステップ３０５）。
【００８２】
ステップ３０５において「前扉閉」を取得できなかった場合（ステップ３０７におけるＮＯ）、制御部２２は、ステップ３０５に戻って処理を繰り返す。一方、ステップ３０５において「前扉閉」を取得できた場合（ステップ３０７におけるＹＥＳ）、制御部２２は、加熱動作開始処理を行う（ステップ３０９）。
【００８３】
以上で、本変形例における加熱調理器の処理は終了する。
【００８４】
本変形例における処理によれば、ユーザが加熱調理器の前扉を開いた時点で、制御部２２が情報コードの読み取りを開始するため、制御部２２が、加熱動作を開始するまでの時間を短縮することができる。
【００８５】
なお、加熱調理器が、ユーザからの情報コードの読取りを開始する旨の入力を検知することで起動する場合においては、制御部２２が情報読取り処理においてコード情報が取得できなかった場合（ステップ３０３におけるＮＯ）に、制御部２２は、ステップ３１１、３１３、３１５および３１７の何れも経ることなく、ステップ３０１に戻って処理を繰り返すことができる。
【００８６】
（変形例３）
本発明の変形例３について、図１３を用いて以下に説明する。図１３は、本発明の変形例３に係る加熱調理器の処理を示すフローチャートである。変形例３は、制御部２２が情報コードの読み取りを２度行う形態である。
【００８７】
まず、加熱調理器の制御部２２は、前扉開閉検知処理を行う（ステップ４０１）。
【００８８】
ステップ４０１において「前扉閉」を取得できなかった場合（ステップ４０３におけるＮＯ）、制御部２２は、ステップ４０１に戻って処理を繰り返す。一方、ステップ４０１において「前扉閉」を取得できた場合（ステップ４０３におけるＹＥＳ）、制御部２２は、内容物有無検知処理を行う（ステップ４０５）。
【００８９】
ステップ４０５において「内容物有」を取得できなかった場合（ステップ４０７におけるＮＯ）、制御部２２は、加熱動作を行う必要がないと判断し、処理を終了する。一方、ステップ４０５において「内容物有」を取得できた場合（ステップ４０７におけるＹＥＳ）、制御部２２は、１度目の情報読取り処理を行う（ステップ４０９）。
【００９０】
ステップ４０９においてコード情報を取得できなかった場合（ステップ４１１におけるＮＯ）、制御部２２は、ステップ４０９に戻って処理を繰り返す。本変形例においても、実施形態１と同様、ステップ４０９が２回目または２回目以降である場合、制御部２２は読取り装置１６を回転させ、直近の１度目の情報読取り処理における読み取り領域とは異なる領域においてコード情報を取得する。
【００９１】
ステップ４１１においてコード情報を取得できた場合（ステップ４１１におけるＹＥＳ）、制御部２２は、２度目の情報読取り処理を行う（ステップ４１３）。このとき、２度目の情報読取り処理における読取り領域は、１度目の情報読取り処理における読取り領域と同一であっても異なっていてもよい。
【００９２】
ステップ４１３においてコード情報を取得できなかった場合（ステップ４１５におけるＮＯ）、制御部２２は、ステップ４１３に戻って処理を繰り返す。ステップ４１３についても、処理が２回目または２回目以降である場合、制御部２２は読取り装置１６を回転させ、直近の２度目の情報読取り処理における読み取り領域とは異なる領域においてコード情報を取得する。
【００９３】
ステップ４１３においてコード情報を取得できた場合（ステップ４１５におけるＹＥＳ）、制御部２２は、１度目の情報読取り処理において取得できたコード情報と、２度目の情報読取り処理において取得できたコード情報とが同一であるかどうかを判断する（ステップ４１７）。
【００９４】
制御部２２が、両者は異なっていると判断した場合（ステップ４１７のＮＯ）、制御部２２は、ステップ４０９に戻って処理を繰り返す。一方、制御部２２が、両者は同一であると判断した場合（ステップ４１７のＹＥＳ）、制御部２２は、加熱動作開始処理を行う（ステップ４１９）。
【００９５】
以上で、本変形例における加熱調理器の処理は終了する。
【００９６】
本変形例における処理によれば、制御部２２がコード情報の読取り処理を二度行うため、誤った情報を取得することを防ぐことができ、より高精度な加熱調理器を提供することができる。このとき、コード情報の読取り処理を行う回数は二回以上であってもよい。
【００９７】
なお、実施例１と同様、制御部２２は、「前扉閉」の検知後にユーザからの情報コードの読取りを開始する旨の入力を検知することで情報読取り処理を開始してもよい（図示せず）。この場合は、内容物有無検知処理は行わなくてもよい。
【００９８】
（変形例４）
本発明の変形例４について、図１４を用いて以下に説明する。図１４は、本発明の変形例４に係る加熱調理器の処理を示すフローチャートである。変形例４は、庫内に食品が有り、前扉が閉じている場合には、情報コードの読取りが終了していない場合であっても、ひとまず加熱を開始する形態である。ただし、所定時間以内に情報コードの読取りが終了しない場合には、制御部２２は、情報コードの読み取りが終了するまで加熱を中断する。
【００９９】
まず、加熱調理器の制御部２２は、前扉開閉検知処理を行う（ステップ５０１）。
【０１００】
ステップ５０１において「前扉閉」を取得できなかった場合（ステップ５０３におけるＮＯ）、制御部２２は、ステップ５０１に戻って処理を繰り返す。一方、ステップ５０１において「前扉閉」を取得できた場合（ステップ５０３におけるＹＥＳ）、制御部２２は、内容物有無検知処理を行う（ステップ５０５）。
【０１０１】
ステップ５０５において「内容物有」を取得できなかった場合（ステップ５０７におけるＮＯ）、制御部２２は、加熱動作を行う必要がないと判断し、処理を終了する。一方、ステップ５０５において「内容物有」を取得できた場合（ステップ５０７におけるＹＥＳ）、制御部２２は、情報読取り処理および加熱動作開始処理を行う（ステップ５０９）。
【０１０２】
なお、前扉開閉検知処理と内容物有無検知処理とは、順序が逆であってもよい（図示せず）。すなわち、本変形例においては、庫内に食品が有り、かつ、前扉が閉じている場合には、情報読取り処理および加熱動作開始処理を開始することができる。
【０１０３】
また、情報読取り処理を開始するタイミングは、変形例１および変形例２にそれぞれ示したように、ユーザが前扉を開いて加熱庫に食品を入れた時点、またはユーザが前扉を開いた時点であってもよい（図示せず）。さらに、情報読取り処理を開始するタイミングは、実施例１と同様に、制御部２２は、「前扉閉」の検知後にユーザからの情報コードの読取りを開始する旨の入力を検知することで情報読取り処理を開始してもよい（図示せず）。この場合は、内容物有無検知処理は行わなくてもよい。
【０１０４】
ステップ５０９においてコード情報を取得できた場合（ステップ５１１におけるＹＥＳ）、制御部２２は、加熱動作部２３における加熱動作を続行する（ステップ５１３）。一方、コード情報を取得できなかった場合（ステップ５１１におけるＮＯ）、制御部２２は、加熱動作開始から所定時間が経過しているかどうかを判断する（ステップ５１４）。
【０１０５】
制御部２２が、加熱動作開始から所定時間が経過していないと判断した場合（ステップ５１４におけるＮＯ）、制御部は、読取り装置１６を回転させてから直近の情報読取り処理における読み取り領域とは異なる領域において情報読取り処理を行う、第２領域情報読取り処理を行う（ステップ５１６）。続いて制御部２２は、ステップ５１１に戻って処理を繰り返す。
【０１０６】
制御部２２が、加熱動作開始から所定時間が経過していると判断した場合（ステップ５１４におけるＹＥＳ）、制御部２２は、加熱動作部２３を介して加熱動作を停止する（ステップ５１５）。続いて制御部２２は、読取り装置１６を回転させてから直近の情報読取り処理における読み取り領域とは異なる領域において情報読取り処理を行う、第２領域情報読取り処理を行う（ステップ５１７）。
【０１０７】
ステップ５１７においてコード情報を取得できなかった場合（ステップ５１９におけるＮＯ）、制御部２２は、ステップ５１７に戻って処理を繰り返す。一方、ステップ５１７においてコード情報を取得できた場合（ステップ５１９におけるＹＥＳ）、制御部２２は、加熱動作部２３を介して加熱動作を再開する（ステップ５２１）。
【０１０８】
以上で、本変形例における加熱調理器の処理は終了する。
【０１０９】
本変形例における処理によれば、制御部２２は、情報コードの読取りが終了していない場合であってもひとまず加熱を開始するため、加熱調理器の処理時間を短縮する機会を増やすことができる。また、所定時間以内に情報コードの読取りが終了しない場合には、制御部２２は、情報コードの読み取りが終了するまで加熱を中断するため、加熱しすぎる危険性を回避することができる。なお、「所定時間」は、例えば、ユーザが加熱する可能性のある食品のうち、最も加熱時間が短い食品を安全に加熱できる時間に応じて適宜設定すればよい。
【０１１０】
〔まとめ〕
本発明の態様１に係る加熱調理器は、加熱庫１３と、被加熱対象となる食品に添付された、少なくとも食品の種類を示す情報コードを読み取る読取り装置１６とを備え、前記情報コードを読み取って得られた情報に基づき加熱庫１３の内部に配置された食品を加熱する加熱調理器１において、前記読取り装置１６は、前記加熱庫１３の天面（天壁１３ａ）に設けられ、当該加熱庫１３の底面（プレート１３ｃ）側に前記情報コードを読み取る読取り領域を有し、当該読取り領域を、第１領域（第１の読取り領域１９）から第２領域（第２の読取り領域２０）に変位させることを特徴とする加熱調理器である。
【０１１１】
上記の構成によれば、読取り装置１６の読取り領域を第１領域から第２領域に変位させることで、情報コードが適切に読み取れる位置に、前記読取り領域を設定することが可能となる。これにより、被加熱物における情報コードを常に適切に、且つ迅速に読み取ることが可能となり、情報コードを用いた加熱調理の利便性を向上させることができる。
【０１１２】
本発明の態様２に係る加熱調理器１は、上記態様１において、前記読取り装置１６が、読取り領域が第１領域から第２領域に変位するように、前記加熱庫１３の天面において回転してもよい。
【０１１３】
上記の構成によれば、読取り装置１６は、加熱庫１３内の広い領域を読取り領域とすることができる。これにより、食品における情報コードを常に適切に、且つ迅速に読み取ることが可能となり、情報コードを用いた加熱調理の利便性を向上させることができる。
【０１１４】
本発明の態様３に係る加熱調理器１は、上記態様１または２において、前記読取り装置１６が、前記加熱庫１３の天面における当該加熱庫１３の開口部（前面開口部１３ｂ）手前側に設けられていてもよい。
【０１１５】
上記の構成によれば、情報コードを効率的に読み取ることが可能となり、情報コードを用いた加熱調理の利便性を向上させることができる。
【０１１６】
本発明の態様４に係る加熱調理器１は、上記態様１において、前記読取り装置１６が、読取り領域が第１領域から第２領域に変位するように、前記加熱庫１３の天面において、第１位置（第１の位置２６）から第２位置（第２の位置２７）に変位してもよい。
【０１１７】
上記の構成によれば、上記態様２と同様の効果を得ることができる。
【０１１８】
本発明の態様５に係る加熱調理器１は、上記態様１〜４のいずれかにおいて、前記第１領域が、前記加熱庫１３の開口部側に形成され、前記第２領域が、前記加熱庫１３の開口部と反対側に形成されていてもよい。
【０１１９】
上記の構成によれば、上記態様３と同様の効果を得ることができる。
【０１２０】
本発明の態様６に係る加熱調理器１は、上記態様１〜５のいずれかにおいて、前記第１領域が、前記加熱庫１３の開口部手前から見て右側に形成され、前記第２領域が、前記加熱庫１３の開口部手前から見て左側に形成されていてもよい。
【０１２１】
上記の構成によれば、上記態様３と同様の効果を得ることができる。
【０１２２】
本発明は上述した各実施形態に限定されるものではなく、請求項に示した範囲で種々の変更が可能であり、異なる実施形態および変形例にそれぞれ開示された技術的手段を適宜組み合わせて得られる実施形態についても本発明の技術的範囲に含まれる。さらに、各実施形態および変形例にそれぞれ開示された技術的手段を組み合わせることにより、新しい技術的特徴を形成することができる。
【符号の説明】
【０１２３】
１  加熱調理器
１１  操作パネル
１２  前扉
１３  加熱庫
１３ａ天壁（天面）
１３ｂ  前面開口部（開口部）
１３ｃ  プレート
１４  取手
１５  コントロールフレーム
１６  読取り装置
１７  レール
１９  第１の読取り領域（第１領域）
２０  第２の読取り領域（第２領域）
２１  内容物有無検知部
２２  制御部
２３  加熱動作部
２５  前扉開閉検知部
２６  第１の位置（第１位置）
２７  第２の位置（第２位置）
【図１】
2020143843.tif 000003
【図２】
2020143843.tif 000004
【図３】
2020143843.tif 000005
【図４】
2020143843.tif 000006
【図５】
2020143843.tif 000007
【図６】
2020143843.tif 000008
【図７】
2020143843.tif 000009
【図８】
2020143843.tif 000010
【図９】
2020143843.tif 000011
【図１０】
2020143843.tif 000012
【図１１】
2020143843.tif 000013
【図１２】
2020143843.tif 000014
【図１３】
2020143843.tif 000015
【図１４】
2020143843.tif 000016